(57)【要約】【課題】外部入力された映像信号の録画並びに再生機能と、外部入力された映像信号を時間遅れを生じることなく高画質で表示する機能とを経済的に有利な構成で実現できる。【解決手段】スケーラーユニット１０５は、外部映像信号入力端子Ｔ１に入力された映像信号をグラフィクスコントローラ１０４からＲＧＢ／ＹＵＶ変換部２０１を介して表示出力する、録画およびモニタ表示が可能な時間遅れが生じるパスＰ１，Ｐ２と、外部映像信号入力端子Ｔ１に入力された映像信号を直接スケーラーユニット１０５に入力して表示出力する時間遅れのないパスＰ３とを表示切替スイッチＳ２の操作で切り替える。【選択図】    図５
2006019810.tif 000002
【特許請求の範囲】
【請求項１】
外部より入力された映像信号を内部処理および録画が可能なデータに変換した後、再生処理する第１の表示処理手段と、
前記映像信号を画像データに変換して実時間再生処理する第２の表示処理手段と、
前記各表示処理手段で処理した再生データを表示する表示手段と
を具備したことを特徴とする情報処理機器。
【請求項２】
外部より入力された映像信号を前記第１の表示処理手段と前記第２の表示処理手段とに供給する、前記第１の表示処理手段と前記第２の表示処理手段に共通の外部信号入力端子を具備した請求項１記載の情報処理機器。
【請求項３】
前記第１の表示処理手段は、前記外部信号入力端子に入力された映像信号を内部処理可能なデータに変換する変換回路と前記変換したデータを圧縮する圧縮回路とテレビジョン放送を受信するチューナとを備えたテレビジョンチューナユニットを含んで構成される請求項２記載の情報処理機器。
【請求項４】
前記第２の表示処理手段は、前記第１の表示処理手段で処理した再生データを含む各再生データの画質を改善する専用プロセッサと前記各再生データの表示サイズを前記表示手段の画面構成に合わせるスケーラと表示ドライバとを備えたスケーラユニットにより構成される請求項２記載の情報処理機器。
【請求項５】
前記第１の表示処理手段で処理した再生データの表示と前記第２の表示処理手段で処理した再生データの表示とを切り替える操作手段をさらに具備した請求項１記載の情報処理機器。
【請求項６】
内部で処理した情報を前記スケーラユニットの処理を行わずに前記表示手段に表示する第３の表示処理手段をさらに具備した請求項４記載の情報処理機器。
【請求項７】
映像データを扱う情報処理装置の表示制御方法であって、
外部より供給された映像信号を入力する入力インタフェースと、表示装置と、前記入力インタフェースを介して入力された映像信号を前記表示装置の画面の大きさに合わせて前記表示装置に表示するスケーラユニットとを共通に用いて、
前記入力インタフェースを介して入力された映像信号を内部処理が可能なデータに変換し圧縮して記録する録画処理、前記圧縮した画像データを伸張して再生する再生処理の少なくともいずれかを行う録画／再生パスと、
前記入力インタフェースを介して入力された映像信号を実時間再生処理する実時間再生パスとを選択的に形成することを特徴とする情報処理装置の表示制御方法。
【発明の詳細な説明】
【技術分野】
【０００１】
本発明は、映像データを扱う情報処理機器および情報処理装置の表示制御方法に関する。
【背景技術】
【０００２】
近年、外部より提供されるテレビジョン（ＴＶ）放送等の番組情報、外部の映像再生機器より提供される動画情報等の各種オーディオ・ビジュアル（ＡＶ）情報を鑑賞することのできるＡＶ再生機能を備えたパーソナルコンピュータが広く普及している。
【特許文献１】特開平６−２８４３６４号公報
【発明の開示】
【発明が解決しようとする課題】
【０００３】
上記したようなＡＶ再生機能を備えたパーソナルコンピュータに於いて、外部入力されたＴＶ映像等の録画並びに再生機能に加え、外部入力された例えばテレビゲーム等の映像信号を時間遅れを生じることなく高画質で表示する機能を設けようとすると、従来ではＴＶ画面等の録画並びに再生機能と、時間遅れのない高画質表示機能とをそれぞれ個別のハードウェアで実現しなければならず、従って構成が煩雑かつ高価になるという問題があった。
【０００４】
本発明は上記実情に鑑みなされたもので、経済的に有利な構成の情報処理機器および情報処理装置の表示制御方法を提供することを目的とする。
【課題を解決するための手段】
【０００５】
本発明は、外部より入力された映像信号を内部処理および録画が可能なデータに変換した後、再生処理する第１の表示処理手段と、前記映像信号を画像データに変換して実時間再生処理する第２の表示処理手段と、前記各表示処理手段で処理した再生データを表示する表示手段とを具備した情報処理機器を特徴とする。
【０００６】
また本発明は、映像データを扱う情報処理装置の表示制御方法に於いて、外部より供給された映像信号を入力する入力インタフェースと、表示装置と、前記入力インタフェースを介して入力された映像信号を前記表示装置の画面の大きさに合わせて前記表示装置に表示するスケーラユニットとを共通に用いて、前記入力インタフェースを介して入力された映像信号を内部処理が可能なデータに変換し圧縮して記録する録画処理、前記圧縮した画像データを伸張して再生する再生処理の少なくともいずれかを行う録画／再生パスと、前記入力インタフェースを介して入力された映像信号を実時間再生処理する実時間再生パスとを選択的に形成することを特徴とする。
【発明の効果】
【０００７】
本発明によれば、経済的に有利な構成で実現できる。
【発明を実施するための最良の形態】
【０００８】
以下図面を参照して本発明の実施形態を説明する。
【０００９】
図１は本発明の実施形態に係る情報処理機器の外観構成を示したもので、ここではノートブック型のパーソナルコンピュータを例に示している。パーソナルコンピュータ１は機器本体２とディスプレイユニット３とから構成される。ディスプレイユニット３には、例えばＬＣＤ（Liquid Crystal Display）を用いた表示部１０６が表示面を露出した状態でディスプレイユニット３のほぼ中央に組み込まれている。ディスプレイユニット３は、機器本体２に対して開放位置と閉塞位置との間を回動自在に取り付けられている。図ではディスプレイユニット３を機器本体２に対して開いた状態を示している。機器本体２の側面には、外部のビデオ信号（コンポジット信号）が入力可能な外部映像信号入力端子Ｔ１が設けられている。また、機器本体２の上面にはキーボードユニット１１２、パーソナルコンピュータ１の電源をオン／オフするためのパワースイッチＳ１、および表示部１０６に表示する表示情報（表示パス）を切り換える表示切替スイッチ（モニタ表示切替ボタン）Ｓ２等が設けられている。この表示切替スイッチＳ２は、外部映像信号入力端子Ｔ１に入力された映像信号を内部処理および録画が可能なデータに変換した後、再生処理する第１の表示処理手段と、外部映像信号入力端子Ｔ１に入力された映像信号を直接、高画質処理して実時間で表示出力する第２の表示処理手段とを切り換える際に、その都度操作される。上記した第１の表示処理手段により形成される表示パスを図５に符号Ｐ１，Ｐ２で示し、第２の表示処理手段により形成される表示パスを図５に符号Ｐ３で示している。
【００１０】
次に図２を参照して、本発明の実施形態に係るパーソナルコンピュータ１のシステム構成について説明する。尚、ここでは説明を簡素にするため、オーディオ（サウンド）系の構成要素を省略して示している。
【００１１】
パーソナルコンピュータ１は、ＣＰＵ１０１、ノースブリッジ１０２およびサウスブリッジ１０７、主メモリ（ＭＥＭ）１０３、グラフィクスコントローラ（Ｇｆｘ）１０４、スケーラーユニット１０５、表示部（ＬＣＤ）１０６、ＢＩＯＳ−ＲＯＭ１０８、エンベデッドコントローラ１０９、ＴＶチューナユニット１１１、キーボードユニット（ＫＢ）１１２、ハードディスクドライブ装置（ＨＤＤ）１１３、光磁気ディスクドライブ装置（ＯＤＤ）１１４、外部映像信号入力端子（コンポジット信号入力端子）Ｔ１等の各種構成要素を有して構成される。
【００１２】
外部映像信号入力端子Ｔ１は、外部より入力された映像信号（コンポジット信号）をスケーラーユニット１０５とＴＶチューナユニット１１１とに供給する、スケーラーユニット１０５とＴＶチューナユニット１１１に共通の外部信号入力端子である。
【００１３】
ＣＰＵ１０１は、本実施の形態に係るコンピュータの動作を制御するために設けられたプロセッサであり、外部記憶装置であるハードディスクドライブ１１３から主メモリ１０３にロードされたオペレーティングシステム（ＯＳ）および各種アプリケーション／ユーティリティプログラムを実行する。また、ＣＰＵ１０１は、ＢＩＯＳ−ＲＯＭ１０８に格納されたＢＩＯＳ（Basic Input Output System）を実行する。さらにＣＰＵ１０１は、例えばＴＶチューナユニット１１１のＭＰＥＧ２エンコーダで圧縮処理（エンコード）された映像データがバスを介してグラフィクスコントローラ１０４に渡される際にバス上の当該データを主メモリ１０３に格納されたＭＰＥＧ２のデコードプログラムに従い伸張処理（デコード）する。
【００１４】
ノースブリッジ１０２はＣＰＵ１０１のローカルバスとサウスブリッジ１０７との間を接続するブリッジデバイスである。ノースブリッジ１０２には、主メモリ１０３をアクセス制御するメモリコントローラが内蔵されている。また、ノースブリッジ１０２にはグラフィクスコントローラ１０４が接続されている。
【００１５】
主メモリ１０３には、ＣＰＵ１０１により実行される、オペレーティングシステム（ＯＳ）、および各種のアプリケーションプログラム、ユーティリティプログラム、上述したＭＰＥＧ２のデコードプログラム等が格納される。
【００１６】
グラフィクスコントローラ１０４は、表示データを生成するためのフレームバッファ１０４Ａを有し、例えば上記ＭＰＥＧ２のデコードしたデータを専用の信号線を介してスケーラーユニット１０５に送出する。また各種のアプリケーションプログラムに従い内部で処理した（ＣＰＵ１０１で処理した）情報（内部処理情報）に関してはスケーラーユニット１０５を経由せず表示部（ＬＣＤ）１０６に直接表示する表示制御手段をもつ。
【００１７】
スケーラーユニット１０５は、図３に示すように、ＲＧＢ／ＹＵＶ変換部２０１、Ａ／Ｄ変換部２０２、画質補正処理部２０３、スケーリング処理部２０４、ＹＵＶ／ＲＧＢ変換部２０５、ＬＣＤドライバ２０６等を備えている。尚、図３に於いても説明を簡素にするためオーディオ（サウンド）系の構成要素を省略して示している。
【００１８】
ＲＧＢ／ＹＵＶ変換部２０１は、グラフィクスコントローラ１０４から受けた映像信号をＲＧＢ信号からＹＵＶ信号に変換する。Ａ／Ｄ変換部２０２は、外部映像信号入力端子Ｔ１に入力されたアナログ映像信号（コンポジット信号）をデジタルＹＵＶ信号に変換する。
【００１９】
画質補正処理部２０３は専用プロセッサにより構成され、エンベデッドコントローラ１０９から表示切替指示信号を入力して、その信号入力の都度、表示処理の対象となる映像データを切り替える。ここでは、グラフィクスコントローラ１０４からＲＧＢ／ＹＵＶ変換部２０１を介して入力される映像信号と、外部映像信号入力端子Ｔ１からＡ／Ｄ変換部２０２を介して入力される映像信号とを切り替え対象に、そのいずれか一方の映像信号を選択して入力し、他方の映像信号入力を無効にする。画質補正処理部２０３は入力したＹＵＶ信号に対して、画質処理用のメモリ部１０３Ａに記憶された設定パラメータを用いて、画質補正（色調整、シャープネス調整、輝度調整、輪郭強調、ノイズリダクション、動き補正等）のための演算処理を施す。
【００２０】
スケーリング処理部２０４は画質補正処理部２０３で画質補正されたＹＵＶ信号に対して、設定されたスケーリングパラメータに従い画像データサイズ（解像度）のスケーリング処理を行う。ＹＵＶ／ＲＧＢ変換部２０５は、スケーリングされた映像信号をＹＵＶ信号からＲＧＢ信号に変換する。ＬＣＤドライバ２０６はＹＵＶ／ＲＧＢ変換部２０５から出力されたＲＧＢ信号、またはグラフィクスコントローラ１０４から直接入力される内部処理した表示用データ（ＲＧＢ信号）に従うＬＣＤ表示用信号を生成し表示部（ＬＣＤ）１０６を駆動制御する。
【００２１】
上記各構成要素をもつスケーラーユニット１０５に於いて、外部映像信号入力端子Ｔ１に入力された映像信号に対しての各出力は、グラフィクスコントローラ１０４からＲＧＢ／ＹＵＶ変換部２０１を介して入力される映像信号と、外部映像信号入力端子Ｔ１からＡ／Ｄ変換部２０２を介して入力される映像信号とに時間差がある。すなわちグラフィクスコントローラ１０４からＲＧＢ／ＹＵＶ変換部２０１を介して入力される映像信号は、詳細を後述するＴＶチューナユニット１１１に於いて圧縮（ＭＰＥＧ２エンコード）され、ＣＰＵ１０１の処理によって伸張（デコード）される処理が介在するのに対して、外部映像信号入力端子Ｔ１から直接Ａ／Ｄ変換部２０２を介して入力される映像信号は大きな時間を要する処理が介在しない。従ってグラフィクスコントローラ１０４からＲＧＢ／ＹＵＶ変換部２０１を介して入力される映像信号は１秒乃至それ以上の時間遅れが生じるのに対して、外部映像信号入力端子Ｔ１からＡ／Ｄ変換部２０２を介して入力される映像信号は殆ど時間遅れが生じない。例えば外部映像信号入力端子Ｔ１に入力された映像信号に従うライブ映像をハードディスクドライブ装置（ＨＤＤ）１１３に録画しながら表示部（ＬＣＤ）１０６にモニタ表示することも可能である（図５に示すパスＰ１，Ｐ２およびパスＰ４参照）。但し、この際は上記したＭＰＥＧ２のエンコード処理およびデコード処理が介在することから時間遅れが生じる。これに対し、モニタ表示に関してのみ、外部映像信号入力端子Ｔ１からＡ／Ｄ変換部２０２を介して入力される映像信号を直接、表示部（ＬＣＤ）１０６に表示する（図５に示すパスＰ３参照）ことで時間遅れのない映像を表示できる。これにより表示の時間遅れによる各種の不都合を解消することができる。
【００２２】
表示部１０６はスケーラーユニット１０５から入力されたＲＧＢ信号に従うライブ映像、内部で処理した操作画面、処理情報等をＬＣＤ画面上に表示出力する。
【００２３】
サウスブリッジ１０７はノースブリッジ１０２に接続されるブリッジデバイスである。サウスブリッジ１０７には、ＢＩＯＳ−ＲＯＭ１０８、エンベデッドコントローラ１０９、ＴＶチューナユニット１１１、ハードディスクドライブ装置（ＨＤＤ）１１３、光磁気ディスクドライブ装置（ＯＤＤ）１１等が接続される。
【００２４】
ＢＩＯＳ−ＲＯＭ１０８には、ＣＰＵ１０１により実行されるＢＩＯＳが格納される。エンベデッドコントローラ１０９は、電力管理を含む周辺の機能回路を制御するエンベデッドコントローラと、キーボードユニット１１２を制御するためのキーボードコントローラとが集積された１チップマイクロコンピュータである。
【００２５】
このエンベデッドコントローラ１０９には、キーボードユニット１１２、パワースイッチＳ１等の構成要素に加えて、本発明に係る表示切り換え制御を実現するための構成要素となる表示切替スイッチ（モニタ表示切替ボタン）Ｓ２が接続される。エンベデッドコントローラ１０９は表示切替スイッチＳ２が操作されると、その操作の都度、表示切替指示信号をスケーラーユニット１０５に送出する。
【００２６】
ハードディスクドライブ装置（ＨＤＤ）１１３には、ＯＳ、デバイスドライバ、実行対象のアプリケーションプログラム、アプリケーションプログラムを実行することで生成されるデータ等が記憶される。これらの情報は、ＣＰＵ１０１のプログラム処理に対し必要に応じて主メモリ１０３に転送され、ＣＰＵ１０１の処理に供される。さらにハードディスクドライブ装置（ＨＤＤ）１１３には、ＴＶチューナユニット１１１でＭＰＥＧ２圧縮された映像データの録画領域をもつ。この際の録画の対象となる映像データは図５に符号Ｐ１，Ｐ４で示すパス（信号経路）により供給される。
【００２７】
グラフィクスコントローラ１０４は、例えばＤＶＤの再生、記録等に用いられるもので、例えばＤＶＤ再生された映画等の動画像データ（ＭＰＥＧ２データ）はＣＰＵ１０１によりデコードされ、グラフィクスコントローラ１０４およびスケーラーユニット１０５を介して表示部（ＬＣＤ）１０６に表示される。
【００２８】
ＴＶチューナユニット１１１は、図４に示すように、ＴＶチューナ３０１、選局コントローラ３０２、Ａ／Ｄ変換部３０３、ＭＰＥＧ２エンコーダ３０４等を備えている。尚、図４に於いても説明を簡素にするためオーディオ（サウンド）系の構成要素を省略して示している。
【００２９】
ＴＶチューナ３０１は選局コントローラ３０２の制御の下にテレビジョン放送を受信し、その受信映像信号をＡ／Ｄ変換部３０３に送出する。Ａ／Ｄ変換部３０３はＴＶチューナ３０１から入力されたアナログ映像信号をデジタルＹＵＶ信号（映像データ）に変換する。またＡ／Ｄ変換部３０３は外部映像信号入力端子Ｔ１に入力された映像信号（コンポジット信号）をアナログ信号からデジタルＹＵＶ信号（映像データ）に変換する。Ａ／Ｄ変換部３０３で変換したＹＵＶ映像データはＭＰＥＧ２エンコーダ３０４に送出される。ＭＰＥＧ２エンコーダ３０４は、入力されたＹＵＶ映像データをＭＰＥＧ２フォーマットに従い圧縮（エンコード）し、その圧縮した映像データをバス（ＰＣＩ−ＢＵＳ）に出力する。このバス上に出力された映像データはハードディスクドライブ装置（ＨＤＤ）１１３に録画可能である（図５に示すパスＰ１，Ｐ４参照）。
【００３０】
図５はスケーラーユニット１０５とＴＶチューナユニット１１１に共通の外部映像信号入力端子Ｔ１を用いた各表示経路（表示パス）を示している。
【００３１】
外部映像信号入力端子Ｔ１に例えば外部のＴＶ等で受信したライブ映像等の映像信号（コンポジット信号）が入力されると、この映像信号はスケーラーユニット１０５とＴＶチューナユニット１１１にそれぞれ供給される。
【００３２】
この際、表示切替スイッチＳ２により、例えばグラフィクスコントローラ１０４からＲＧＢ／ＹＵＶ変換部２０１を介して入力される映像信号を表示する表示モードが選択されていると、ＴＶチューナユニット１１１、内部バス（ノースブリッジ１０２およびサウスブリッジ１０７を含む）、およびグラフィクスコントローラ１０４を経由する表示パスＰ１，Ｐ２が形成される。この際は、外部映像信号入力端子Ｔ１に入力された映像信号がＴＶチューナユニット１１１のＭＰＥＧ２エンコーダ３０４によりＭＰＥＧ２圧縮（エンコード）され、さらにＣＰＵ１０１のＭＰＥＧ２デコードプログラムに従い伸張（デコード）されてスケーラーユニット１０５に入力されることから表示に時間遅れが生じる。但しこの表示パス形成時に於いては、外部映像信号入力端子Ｔ１に入力された映像信号に従う映像情報をハードディスクドライブ装置（ＨＤＤ）１１３に録画することが可能である。この際の録画のパスを図５に符号Ｐ４で示している。
【００３３】
この状態で上記表示切替スイッチＳ２が操作されると、その操作に伴い、表示切替指示信号がエンベデッドコントローラ１０９からスケーラーユニット１０５に送られて、表示パスが、Ｐ１，Ｐ２から、Ｐ３に切り替わる。この際は、外部映像信号入力端子Ｔ１に入力された映像信号が、直接、スケーラーユニット１０５に入力されて表示部（ＬＣＤ）１０６に表示されることから、上記ＭＰＥＧ２の処理に伴う時間遅れが生じない。従って、例えば時間差が問題になる各種のゲームを含む番組等に於いて、表示の時間遅れによる各種の不都合を解消することができる。尚、この表示パス（Ｐ３）形成時に於いても表示映像の録画は可能である（パスＰ１，Ｐ４参照）。
【００３４】
また、グラフィクスコントローラ１０４を経由する表示パスには、上記したパス以外に、内部で処理した（ＣＰＵ１０１で処理した）各種アプリケーション等の表示情報を表示する表示パスがある。この内部処理情報の表示バスを図５に符号Ｐ２’で示している。この際は、グラフィクスコントローラ１０４で生成された内部処理に伴う表示データがスケーラーユニット１０５の処理機能を介さずにＬＣＤドライバ２０６を介して表示部（ＬＣＤ）１０６に出力され表示される。
【００３５】
上記したように、本発明の実施形態によれば、外部入力された映像信号の録画並びに再生機能と、外部入力された映像信号を時間遅れを生じることなく高画質で表示する機能とを経済的に有利な構成で実現できる。尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３６】
【図１】本発明の実施形態に係るパーソナルコンピュータの外観構成を示す斜視図。
【図２】本発明の実施形態に係るパーソナルコンピュータの構成を示すブロック図。
【図３】本発明の実施形態に係るスケーラーユニットの構成を示すブロック図。
【図４】本発明の実施形態に係るＴＶチューナユニットの構成を示すブロック図。
【図５】本発明の実施形態の動作を説明するための信号処理経路を示す図。
【符号の説明】
【００３７】
１…パーソナルコンピュータ、２…機器本体、３…ディスプレイユニット、Ｓ１…パワースイッチ、Ｓ２…表示切替スイッチ、Ｔ１…外部映像信号入力端子（コンポジット信号入力端子）、１０１…ＣＰＵ、１０２…ノースブリッジ、１０３…主メモリ（ＭＥＭ）、１０４…グラフィクスコントローラ（Ｇｆｘ）、１０５…スケーラーユニット、１０６…表示部（ＬＣＤ）、１０７…サウスブリッジ、１０８…ＢＩＯＳ−ＲＯＭ、１０９…エンベデッドコントローラ、１１１…ＴＶチューナユニット、１１２…キーボードユニット（ＫＢ）、１１３…ハードディスクドライブ装置（ＨＤＤ）、１１４…光磁気ディスクドライブ装置（ＯＤＤ）、２０１…ＲＧＢ／ＹＵＶ変換部、２０２…Ａ／Ｄ変換部、２０３…画質補正処理部、２０４…スケーリング処理部、２０５…ＹＵＶ／ＲＧＢ変換部、２０６…ＬＣＤドライバ、３０１…ＴＶチューナ、３０２…選局コントローラ、３０３…Ａ／Ｄ変換部、３０４…ＭＰＥＧ２エンコーダ。
【図１】
2006019810.tif 000003
【図２】
2006019810.tif 000004
【図３】
2006019810.tif 000005
【図４】
2006019810.tif 000006
【図５】
2006019810.tif 000007